(57)【要約】      （修正有）【課題】部品の組み付けを容易なものとするオルゴール及びその製造方法を提供する。【解決手段】ホルダ７４は、付勢ばねによる付勢力により付勢される複数のストッパ２２の回動を抑止する支持棒２００が着脱される取付部９０を備えている。オルゴール１０における各部品の組付時において、ホルダ７４の取付部９０に一時的に取り付けられる支持棒２００により、付勢ばねの付勢力による回動方向への複数のストッパ２２の回動が抑止される。これにより、複数のストッパ２２が組み付けられたオルゴール１０に対して、複数のスターホイール１４が取り付けられた第１軸１２を好適に組み付けることができる。すなわち、部品の組み付けを容易なものとするオルゴール１０を提供することができる。【選択図】図２１
2015028533.tif 000002
【特許請求の範囲】
【請求項１】
複数の振動弁が配列される所定の配列方向に沿って設けられる第１軸と、
前記第１軸と並んで設けられる第２軸と、
前記第１軸に取り付けられる複数のスターホイールと、
前記第２軸を軸中心に回動可能に取り付けられる複数のストッパと、
前記複数のストッパを、前記第２軸を軸中心に前記スターホイールが配置される方向へ回動させる回動方向へ付勢する複数の付勢ばねと、
前記第２軸の両端部を保持するホルダと
を、備え、
前記ホルダは、前記複数のストッパが前記回動方向へ回動する状態において前記複数のストッパと接触する支持棒が着脱可能に取り付けられる取付部を備える
ことを特徴とするオルゴール。
【請求項２】
前記取付部は、前記支持棒の両端部を支持する溝部を備えたものである
請求項１に記載のオルゴール。
【請求項３】
前記取付部は、前記溝部から前記支持棒の離脱を抑止する鉤部を、前記溝部に備えたものである
請求項２に記載のオルゴール。
【請求項４】
前記複数のストッパが前記第２軸に取り付けられ且つ前記第２軸の両端部が前記ホルダに保持された状態で、前記取付部に取り付けられた前記支持棒が前記複数のストッパそれぞれの一部に接触して、前記付勢ばねの付勢力による回動方向への前記複数のストッパの回動を抑止させる
請求項１から３の何れか１項に記載のオルゴール。
【請求項５】
前記ストッパは、前記支持棒が支持される凹状部を備え、
前記支持棒は、前記ストッパの前記凹状部に支持され且つ前記取付部の前記溝部に支持されて配置される
請求項２又は３に記載のオルゴール。
【請求項６】
前記複数のストッパに対応する複数の電磁石を備え、
前記ホルダは、第１面部及び第２面部により表裏を反転可能に形成され、前記第１面部及び前記第２面部のそれぞれにおいて、前記複数の電磁石が前記配列方向に配列されて取り付けられる構成と、前記第２軸の両端部を支持する構成とを、備えたものであり、
前記取付部は、前記第１面部及び前記第２面部に共通して備えられたものである
請求項１から５の何れか１項に記載のオルゴール。
【請求項７】
前記ホルダは、取り付けられた前記複数のストッパそれぞれに対応する前記付勢ばねの位置を定める斜面形状のばね受け部を備えたものである
請求項１から６の何れか１項に記載のオルゴール。
【請求項８】
複数の振動弁が配列される所定の配列方向に沿って設けられる第１軸と、
前記第１軸と並んで設けられる第２軸と、
前記第１軸に取り付けられる複数のスターホイールと、
前記第２軸を軸中心に回動可能に取り付けられる複数のストッパと、
前記複数のストッパを、前記第２軸を軸中心に前記スターホイールが配置される方向へ回動させる回動方向へ付勢する複数の付勢ばねと、
前記第２軸の両端部を保持するホルダと
を、備えたオルゴールの製造方法であって、
前記複数のストッパが取り付けられた前記第２軸の両端部を前記ホルダに取り付ける第２軸取付工程と、
前記ホルダに備えられた取付部に支持棒を取り付ける支持棒取付工程と、
前記支持棒取付工程により前記取付部に取り付けられた前記支持棒に、前記第２軸取付工程により取り付けられた前記回動方向へ回動する前記複数のストッパそれぞれの一部を接触させる接触工程と、
前記複数のスターホイールが取り付けられた前記第１軸の両端部を前記オルゴールに取り付ける第１軸取付工程と、
前記ホルダにおける前記取付部から前記支持棒を取り除く支持棒除去工程と
を、含むことを特徴とするオルゴールの製造方法。
【請求項９】
複数の振動弁が配列される所定の配列方向に沿って設けられる第１軸と、
前記第１軸と並んで設けられる第２軸と、
前記第１軸に取り付けられる複数のスターホイールと、
前記第２軸を軸中心に回動可能に取り付けられる複数のストッパと、
前記複数のストッパを、前記第２軸を軸中心に前記スターホイールが配置される方向へ回動させる回動方向へ付勢する複数の付勢ばねと、
前記第２軸の両端部を保持するホルダと
を、備えたオルゴールの製造方法であって、
前記複数のストッパが取り付けられた前記第２軸の両端部を前記ホルダに取り付ける第２軸取付工程と、
前記回動方向へ回動するストッパを支持棒に接触させ、該支持棒を前記ホルダに備えられた取付部に取り付ける接触工程と、
前記複数のスターホイールが取り付けられた前記第１軸の両端部を前記オルゴールに取り付ける第１軸取付工程と、
前記ホルダにおける前記取付部から前記支持棒を取り除く支持棒除去工程と
を、含むことを特徴とするオルゴールの製造方法。
【発明の詳細な説明】
【技術分野】
【０００１】
本発明は、オルゴール及びその製造方法に関し、特に、部品の組み付けを容易なものとするための改良に関する。
【背景技術】
【０００２】
音楽を奏でるオルゴールが知られている。このオルゴールは、例えば、複数の振動弁と、各振動弁を弾く爪を備えたスターホイールとを、備えている。複数の振動弁は、各振動弁がスターホイールの爪により弾かれることで対応するそれぞれの音高の音が発生させられる。斯かるオルゴールにおいて、複数の振動弁を選択的に弾く機構を備えることで任意の曲を演奏できるオルゴールが提案されている。例えば、特許文献１に記載されたオルゴール装置がそれである。この技術によれば、振動弁を弾くスターホイール（爪車）の駆動を制御するストッパ（停止部材）がソレノイドのプランジャと同時移動可能に設けられる。前記ストッパは、ソレノイドと、前記スターホイールとの間に配置されている。前記ストッパは、前記ソレノイドのプランジャと同時に移動してソレノイド方向に移動し、前記スターホイールと離れた位置で固定される。このとき、前記スターホイールは駆動させられる。前記ソレノイドに吸引されないとき、前記ストッパは、前記スターホイールと噛み合って停止する。このとき、前記スターホイールは駆動が停止させられる。
【先行技術文献】
【特許文献】
【０００３】
【特許文献１】特開２００９−１１６３２３号公報
【発明の概要】
【発明が解決しようとする課題】
【０００４】
オルゴールの部品の組み付け順序は、例えば、複数のストッパが取り付けられた軸がホルダに組み付けられた後、複数のスターホイールが取り付けられた軸が組み付けられる順序が考えられる。しかし、この順序で組み付ける場合において、複数のストッパが組み付けられたオルゴールに、複数のスターホイールが組み付けられるとき、先に組み付けられた複数のストッパが、付勢ばねの付勢力によりスターホイール側に回動させられる等して、複数のストッパが複数のスターホイールの組み付けの邪魔となり、複数のスターホイールを容易に組み付けることができないという不具合がある。
【０００５】
本発明は、以上の事情を背景として為されたものであり、その目的とするところは、部品の組み付けを容易なものとするオルゴール及びその製造方法を提供することにある。
【課題を解決するための手段】
【０００６】
斯かる目的を達成するために、本願の請求項１に係る発明の要旨とするところは、複数の振動弁が配列される所定の配列方向に沿って設けられる第１軸と、前記第１軸と並んで設けられる第２軸と、前記第１軸に取り付けられる複数のスターホイールと、前記第２軸を軸中心に回動可能に取り付けられる複数のストッパと、前記複数のストッパを、前記第２軸を軸中心に前記スターホイールが配置される方向へ回動させる回動方向へ付勢する複数の付勢ばねと、前記第２軸の両端部を保持するホルダとを、備え、前記ホルダは、前記複数のストッパが前記回動方向へ回動する状態において前記複数のストッパと接触する支持棒が着脱可能に取り付けられる取付部を備えることを特徴とするオルゴールである。
【０００７】
本願の請求項１に従属する請求項２に係る発明の要旨とするところは、前記取付部は、前記支持棒の両端部を支持する溝部を備えたものである。
【０００８】
本願の請求項２に従属する請求項３に係る発明の要旨とするところは、前記取付部は、前記溝部から前記支持棒の離脱を抑止する鉤部を、前記溝部に備えたものである。
【０００９】
本願の請求項１から３の何れか１項に従属する請求項４に係る発明の要旨とするところは、前記複数のストッパが前記第２軸に取り付けられ且つ前記第２軸の両端部が前記ホルダに保持された状態で、前記取付部に取り付けられた前記支持棒が前記複数のストッパそれぞれの一部に接触して、前記付勢ばねの付勢力による回動方向への前記複数のストッパの回動を抑止させるものである。
【００１０】
本願の請求項２又は３に従属する請求項５に係る発明の要旨とするところは、前記ストッパは、前記支持棒が支持される凹状部を備え、前記支持棒は、前記ストッパの前記凹状部に支持され且つ前記取付部の前記溝部に支持されて配置されるものである。
【００１１】
本願の請求項１から５の何れか１項に従属する請求項６に係る発明の要旨とするところは、前記複数のストッパに対応する複数の電磁石を備え、前記ホルダは、第１面部及び第２面部により表裏を反転可能に形成され、前記第１面部及び前記第２面部のそれぞれにおいて、前記複数の電磁石が前記配列方向に配列されて取り付けられる構成と、前記第２軸の両端部を支持する構成とを、備えたものであり、前記取付部は、前記第１面部及び前記第２面部に共通して備えられたものである。
【００１２】
本願の請求項１から６の何れか１項に従属する請求項７に係る発明の要旨とするところは、前記ホルダは、取り付けられた前記複数のストッパそれぞれに対応する前記付勢ばねの位置を定める斜面形状のばね受け部を備えたものである。
【００１３】
本願の請求項８に係る発明の要旨とするところは、複数の振動弁が配列される所定の配列方向に沿って設けられる第１軸と、前記第１軸と並んで設けられる第２軸と、前記第１軸に取り付けられる複数のスターホイールと、前記第２軸を軸中心に回動可能に取り付けられる複数のストッパと、前記複数のストッパを、前記第２軸を軸中心に前記スターホイールが配置される方向へ回動させる回動方向へ付勢する複数の付勢ばねと、前記第２軸の両端部を保持するホルダとを、備えたオルゴールの製造方法であって、前記複数のストッパが取り付けられた前記第２軸の両端部を前記ホルダに取り付ける第２軸取付工程と、前記ホルダに備えられた取付部に支持棒を取り付ける支持棒取付工程と、前記支持棒取付工程により前記取付部に取り付けられた前記支持棒に、前記第２軸取付工程により取り付けられた前記回動方向へ回動する前記複数のストッパそれぞれの一部を接触させる接触工程と、前記複数のスターホイールが取り付けられた前記第１軸の両端部を前記オルゴールに取り付ける第１軸取付工程と、前記ホルダにおける前記取付部から前記支持棒を取り除く支持棒除去工程とを、含むことを特徴とするオルゴールの製造方法である。
【００１４】
本願の請求項９に係る発明の要旨とするところは、複数の振動弁が配列される所定の配列方向に沿って設けられる第１軸と、前記第１軸と並んで設けられる第２軸と、前記第１軸に取り付けられる複数のスターホイールと、前記第２軸を軸中心に回動可能に取り付けられる複数のストッパと、前記複数のストッパを、前記第２軸を軸中心に前記スターホイールが配置される方向へ回動させる回動方向へ付勢する複数の付勢ばねと、前記第２軸の両端部を保持するホルダとを、備えたオルゴールの製造方法であって、前記複数のストッパが取り付けられた前記第２軸の両端部を前記ホルダに取り付ける第２軸取付工程と、前記回動方向へ回動するストッパを支持棒に接触させ、その支持棒を前記ホルダに備えられた取付部に取り付ける接触工程と、前記複数のスターホイールが取り付けられた前記第１軸の両端部を前記オルゴールに取り付ける第１軸取付工程と、前記ホルダにおける前記取付部から前記支持棒を取り除く支持棒除去工程とを、含むことを特徴とするオルゴールの製造方法である。
【発明の効果】
【００１５】
本願の請求項１に係る発明によれば、前記ホルダの取付部に一時的に取り付けられる支持棒により、前記付勢ばねの付勢力による回動方向への前記複数のストッパの回動が抑止される。これにより、複数のストッパが組み付けられたオルゴールに対して複数のスターホイールを好適に組み付けることができる。すなわち、部品の組み付けを容易なものとするオルゴールを提供することができる。
【図面の簡単な説明】
【００１６】
【図１】本発明の一実施例であるオルゴールにおける演奏機構部の構成を斜め上方から視た様子を例示する斜視図である。
【図２】図１の演奏機構部を第１軸の軸心方向に視た図である。
【図３】図２に示す構成の斜視図である。
【図４】図１のオルゴールにおいてストッパが係止状態とされた場合における作動を説明する図である。
【図５】図１のオルゴールにおいてストッパが係止状態から非係止状態へ切り替えられる場合における作動を説明する図である。
【図６】図５の破線で囲繞した部分を拡大して示す図である。
【図７】図１のオルゴールにおいてスターホイールにおける爪が振動板の振動弁を弾いて音を奏でる作動を説明する図である。
【図８】図１のオルゴールにおける制御部に備えられた制御機能の要部を説明する機能ブロック線図である。
【図９】図１に示すオルゴールにおける演奏機構部が筐体内に収容された様子を説明する図である。
【図１０】図１のオルゴールに備えられるホルダの構成の一例を示す斜視図である。
【図１１】図１０のホルダを矢印XIに示す方向に視た図である。
【図１２】図１のオルゴールに備えられるストッパの構成を詳しく説明する図である。
【図１３】図１０のホルダにおける第１面部に対応してストッパが取り付けられて取付棒により回動が抑止された様子を説明する図である。
【図１４】図１０のホルダにおける第２面部に対応してストッパが取り付けられて取付棒により回動が抑止された様子を説明する図である。
【図１５】図１３の構成に対応する斜視図である。
【図１６】図１４の構成に対応する斜視図である。
【図１７】図１のオルゴールの製造工程の一例における一部工程を説明する工程図であり、図１３及び図１５の構成に対応している。
【図１８】図１のオルゴールの製造工程の一例における一部工程を説明する工程図であり、図１４及び図１６の構成に対応している。
【図１９】図１７に示す各工程における、ホルダに対して組み付けられる複数のストッパ等の状態を例示する図である。
【図２０】図１８に示す各工程における、ホルダに対して組み付けられる複数のストッパ等の状態を例示する図である。
【図２１】複数のストッパ及び複数のスターホイール等が組み付けられたオルゴールにおいて、ホルダから支持棒が除去される前の様子を示す図である。
【発明を実施するための形態】
【００１７】
以下、本発明の好適な実施例を図面に基づいて詳細に説明する。
【実施例】
【００１８】
図１は、本発明の一実施例であるオルゴール１０における演奏機構部１００の構成を斜め上方から視た様子を例示する斜視図である。本実施例において、オルゴール１０の上方とは、オルゴール１０が図示しない設置平面部に設置される際の上方（略鉛直上方）をいう。図１に示すように、本実施例のオルゴール１０は、第１軸１２を中心として回転可能に設けられた複数（例えば、４０個）のスターホイール１４を備えている。第１軸１２に沿って設けられた振動板１６を備えている。振動板１６には、複数のスターホイール１４にそれぞれ対応する複数の振動弁１８が第１軸１２に沿って設けられている。第１軸１２と並んで第２軸２０が設けられている。好適には第１軸１２と平行に第２軸２０が設けられている。第２軸２０を軸中心として回動可能に設けられた、複数のスターホイール１４にそれぞれ対応する複数のストッパ２２を備えている。複数のストッパ２２にそれぞれ対応する複数の電磁石２４を備えている。第１軸１２と平行に第３軸２６が設けられている。第３軸２６に相対回転不能に設けられてその第３軸２６と一体的に回転させられる、複数のスターホイール１４にそれぞれ対応する複数のサンホイール２８を備えている。第１軸１２及び第３軸２６をそれぞれの軸心まわりの回転可能に、第２軸２０を回転不能に支持すると共に、複数の電磁石２４等が組み付けられる組付フレーム７２を備えている。振動板１６が固定される台座３０を備えている。第１軸１２及び第３軸２６をそれぞれの軸心まわりに同期して回転駆動するための駆動力を発生させるモータ３２を備えている。複数の振動弁１８は、予め定められた複数の音高（音階）にそれぞれ対応し、後述するようにスターホイール１４の爪３６により弾かれることで対応する音階の音を奏でるように構成されている。
【００１９】
図９は、図１に示す本実施例のオルゴール１０における演奏機構部１００が筐体３４内に収容された様子を説明する平面図である。オルゴール１０は、第１軸１２、複数のスターホイール１４、振動板１６、第２軸２０、複数のストッパ２２、複数の電磁石２４、第３軸２６、複数のサンホイール２８等の構成を収容する筐体３４を備えている。第１軸１２、複数のスターホイール１４、第２軸２０、複数のストッパ２２、複数の電磁石２４、第３軸２６、複数のサンホイール２８等は、組付フレーム７２に組み付けられている。組付フレーム７２は、フレーム７０に組み付けられている。フレーム７０は、筐体３４に固定されている。振動板１６が取り付けられた台座３０は、筐体３４に固定されている。筐体３４の上側平面部には、その筐体３４内部の様子を視認するためののぞき窓３４ｂが設けられている。こののぞき窓３４ｂには、ガラス板等の透明な材料による蓋部（非図示）が設けられる。図９に示すように、オルゴール１０は、複数の電磁石２４それぞれの励磁乃至非励磁を制御するＥＣＵ（Electric Control Unit）等の制御部６０を備えている。
【００２０】
図２は、オルゴール１０の演奏機構部１００におけるスターホイール１４、ストッパ２２、及びサンホイール２８等の構成を説明するために、それらの構成を第１軸１２の軸心方向に視た図である。図３は、図２に示すスターホイール１４、ストッパ２２、及びサンホイール２８等の構成を斜め上方から視た様子を示す斜視図である。図３においては、複数のスターホイール１４のうち２つのスターホイール１４ａ、１４ｂと、それらに対応するストッパ２２ａ、２２ｂ及び電磁石２４ａ、２４ｂ等を例示している。スターホイール１４ａ、１４ｂに対応するサンホイール２８ａ、２８ｂを例示すると共に、そのサンホイール２８ｂに隣接するサンホイール２８ｃを併せて示している。隣接するサンホイール２８とは、第３軸２６に沿ってその軸を中心に並んで配置されているサンホイール２８をいう。図３以外の図面である図１及び図２等において、個々のスターホイール１４ａ、１４ｂを特に区別しない場合には単にスターホイール１４として図示している。個々のストッパ２２ａ、２２ｂを特に区別しない場合には単にストッパ２２として図示している。個々のサンホイール２８ａ、２８ｂ、２８ｃを特に区別しない場合には単にサンホイール２８として図示している。スターホイール１４とストッパ２２とが対応するとは、そのストッパ２２の係止状態においてそのスターホイール１４の回転が係止されることをいう。スターホイール１４とサンホイール２８とが対応するとは、そのスターホイール１４のギヤ部３８とそのサンホイール２８の外周歯４０とが相互に噛み合うことをいう。図２においては、フレーム７０及び組付フレーム７２等の図示を省略している。図４〜７において同じである。図３においては、振動板１６、フレーム７０、台座３０、及び組付フレーム７２等の図示を省略すると共に、第１軸１２、第２軸２０、及び第３軸２６それぞれの一部を省略（切断）して示している。
【００２１】
図２及び図３に示すように、スターホイール１４は、複数の爪３６を備えている。爪３６は、スターホイール１４の径方向外側に向けて放射状に形成された突起部である。好適には、スターホイール１４の周方向に等位相で４つの爪３６を備えている。すなわち、スターホイール１４の周方向に９０°毎に爪３６が設けられている。スターホイール１４は、爪３６よりも内周側（径方向内側）に複数のギヤ部３８を備えている。好適には、各爪３６に対応する位置に２歯ずつの突出部としてのギヤ部３８を備えている。ギヤ部３８は、複数のスターホイール１４が第１軸１２に沿って配置される間に配置されている。すなわち、ギヤ部３８は、第１軸１２の軸方向に関して、爪３６とは異なる位置に配置される。具体的には、軸方向に関して相互に隣接する爪３６相互間に配置される。サンホイール２８は、径方向外側に向けて複数の外周歯４０を備えて構成されている。図２に示すように、スターホイール１４が第１軸１２に組み付けられた状態において、爪３６は、第１軸１２の軸心を中心とするその回転軌跡が対応する振動弁１８の少なくとも一部に接触する位置に設けられている。且つ、対応するストッパ２２の後述する係止状態においてそのストッパ２２に係止される位置に設けられている。この係止される位置とは、爪３６がストッパ２２に当接されられた状態において、スターホイール１４の第１軸１２の回転への追従回転を阻止する位置である。すなわち、爪３６は、振動板１６における振動弁１８を弾くと共に、ストッパ２２と接触することで、スターホイール１４の第１軸１２の回転に伴う追従回転を阻止する係止部として機能する。ギヤ部３８は、第１軸１２の軸心を中心とするその回転軌跡が対応するサンホイール２８の外周歯４０と噛み合わされる位置に設けられている。
【００２２】
図２に一部（破線で囲繞した部分）を拡大して示すように、サンホイール２８の外周歯４０には面取り７８が付けられている。面取り７８は、好適には、外周歯４０の先端部における軸方向の両側部に施されたものである。スターホイール１４の外周部には面取り８０が付けられている。面取り８０は、好適には、スターホイール１４の外径稜線に施されたものである。スターホイール１４の外径稜線とは、スターホイール１４における外周面８２における軸方向両端部である。サンホイール２８の面取り７８及びスターホイール１４の面取り８０の少なくとも一方が施されたものであればよい。スターホイール１４の外周面８２における端部の面取り８０に加えて、爪３６の稜線（軸方向両端部）等に面取りが施されたものであってもよい。
【００２３】
振動板１６には、複数（例えば、４０本）の振動弁１８が設けられている。複数の振動弁１８は、一端からそれぞれの音高に対応して高音から低音の順に所定の配列方向に配列されている。第１軸１２は、振動弁１８の配列方向に沿って設けられている。複数の振動弁１８は、複数のスターホイール１４にそれぞれ対応する。振動弁１８がスターホイール１４に対応するとは、スターホイール１４に備えられた爪３６が振動弁１８を弾くことが可能な位置に配置されたことを言う。振動板１６が台座３０に組み付けられることで、複数の振動弁１８が第１軸１２に沿って設けられる構成となる。複数の振動弁１８は、予め定められた複数の音階にそれぞれ対応する。スターホイール１４の爪３６により弾かれることで対応する音階の音を奏でるように構成されている。すなわち、振動弁１８は、オルゴール１０における発音体に対応する。換言すれば、複数の振動弁１８は、スターホイール１４の爪３６により弾かれることで、それぞれ異なる周波数の音を発生させる。
【００２４】
図２に示すように、ストッパ２２は、好適には、ストッパ２２が第２軸２０を中心にしてスターホイール１４に向けて回動させられることでスターホイール１４における少なくとも１つの爪３６に当接させられる板部材５０を備えている。電磁石２４の励磁状態において、その電磁石２４の磁力によりストッパ２２を第１回動方向すなわちスターホイール１４から離隔させられる方向へ回動させる作用を発生させる磁性部材５２を備えている。磁性部材５２は、例えば、鉄、コバルト、ニッケル等の鉄属元素を主成分とする金属である。磁性部材５２は、好適には特に磁化されていない鉄板であるが、磁化された所謂永久磁石であってもよい。ストッパ２２において、磁性部材５２は、板部材５０と一体的に設けられたエンジニアリングプラスチック等の合成樹脂部材５４にインサート成形されたものであり、斯かる構成により電磁石２４の吸引による磁性部材５２のビビリが抑制される。
【００２５】
電磁石２４は、好適には、鉄等の磁性材料である鉄芯の周囲に円筒状のコイルを備えている。そのコイルに電流が流されることで励磁状態とされ磁力（磁場）を発生させる。一方、コイルに電流が流されないと非励磁状態とされるよく知られた一般的な電磁石である。本実施例においては、電磁石２４のコイルに電流が流された状態が、電磁石２４が励磁された第１状態に相当する。電磁石２４のコイルに電流が流されない状態が、第１励磁状態より磁力が弱い第２状態に相当する。
【００２６】
図８は、制御部６０に備えられた制御機能の要部を説明する機能ブロック線図である。この図８に示す楽譜データベース６２は、オルゴール１０による演奏の対象となる曲にそれぞれ対応する複数の楽譜データを記憶する。楽譜データベース６２は、よく知られたＳＤカード（Secure Digital Card）等の記憶媒体に納められ、制御部６０が記憶媒体に記録されたデータを読み取り可能であってもよい。楽譜データは、例えば、ＭＩＤＩ（Musical Instrument Digital Interface）形式のデータであり、予め定められた複数種類の楽器毎に、その楽器に対応する音の出力タイミング及び音階等が定められた複数のトラック（チャンネル）を含んでいる。本実施例のオルゴール１０は、例えば、ＭＩＤＩデータにおけるガイドメロディすなわち主旋律に相当するトラック（チャンネル）の出力タイミング及び音階に基づいて以下に詳述する演奏制御を行う。
【００２７】
係止解除タイミング判定部６４は、複数のストッパ２２それぞれによるスターホイール１４における爪３６の係止を解除するタイミングを判定する。換言すれば、複数のストッパ２２それぞれに対応する電磁石２４の励磁乃至非励磁を切り替えるタイミング（電磁石２４の通電を実行乃至停止するタイミング）を判定する。例えば、楽譜データベース６２に記憶された複数の楽譜データのうち所定の楽譜データに対応する曲の演奏において、その楽譜データに定められた音の出力タイミング及び音階に基づいて前記判定を行う。具体的には、各音階に対応する複数の振動弁１８を楽譜データに定められた出力タイミングで弾くために、ストッパ２２によるスターホイール１４における爪３６の係止を解除するタイミングを判定する。第１軸１２及び第３軸２６それぞれの回転速度が一定の値に定まる場合、各スターホイール１４に対応するストッパ２２による係止が解除されてからそのスターホイール１４の爪３６により対応する振動弁１８が弾かれるまでのタイムラグは予め求められる。係止解除タイミング判定部６４は、演奏対象となる楽譜データに基づいて前記判定を行う。楽譜データにおいては、各振動弁１８に対応する音階の出力タイミングが定められている。その出力タイミングよりも前記タイムラグに相当する時間前に、その振動弁１８に対応するストッパ２２によるスターホイール１４における爪３６の係止が解除されるように前記判定を行う。
【００２８】
電磁石励磁／非励磁制御部６６は、係止解除タイミング判定部６４による判定結果に基づいて、複数の電磁石２４それぞれの励磁乃至非励磁を切り替える。すなわち、係止解除タイミング判定部６４による判定結果に基づいて、複数の電磁石２４それぞれの通電を実行乃至停止する制御を行う。具体的には、係止解除タイミング判定部６４によりストッパ２２によるスターホイール１４における爪３６の係止を解除するタイミングが判定された場合、そのタイミングで対応する電磁石２４を非励磁状態から励磁状態へ切り替える。すなわち、斯かるタイミングで電磁石２４の通電を開始する。電磁石励磁／非励磁制御部６６は、好適には、電磁石２４を非励磁状態から励磁状態へ切り替えた後、予め定められた規定時間経過後にその電磁石２４を励磁状態から非励磁状態へ切り替える。すなわち、斯かるタイミングで電磁石２４の通電を停止させる。
【００２９】
図２に示すように、電磁石２４は、各ストッパ２２に対応して設けられている。好適には、ストッパ２２における磁性部材５２が埋設された合成樹脂部材５４の近傍に設けられている。電磁石２４は、磁性部材５２と非接触に設けられている。すなわち、電磁石２４とストッパ２２とは、相互に最も接近した状態において非接触とされるものである。換言すれば、ストッパ２２は、後述する係止状態及び非係止状態の何れにおいても、磁性部材５２と電磁石２４との間に所定の間隔があくように構成されたものである。この間隔は、好適には、電磁石２４の励磁状態において、その電磁石２４の磁力作用を磁性部材５２に及ぼし得る範囲内とされる。例えば、電磁石２４とストッパ２２とが相互に最も離隔させられた状態においても、電磁石２４の励磁状態においてはその電磁石２４の磁力により磁性部材５２が引き寄せられるように間隔が設計される。すなわち、ストッパ２２をスターホイール１４から離隔させる方向に回動させる引力が発生させられるように、間隔が設計される。後述する図６に一点鎖線で示すように、電磁石２４の軸心（鉄芯の中心軸）は、ストッパ２２の回動中心すなわち第２軸２０の軸心と交わる位置関係とされる。
【００３０】
図２及び図３に示すように、ストッパ２２は、好適には、付勢ばね（スナップばね、ねじりコイルばね）５６を備えている。付勢ばね５６は、ストッパ２２を第２軸２０を軸中心にスターホイール１４に向けて回動させる方向に付勢する付勢力を発生させる。ストッパ２２及び板部材５０は、好適には、電磁石２４の非励磁状態においては、付勢ばね５６により付勢されることでスターホイール１４に向けて回動させられる。そして、板部材５０は、スターホイール１４に設けられた複数の爪３６の少なくとも１つを係止する係止状態（後述する図４等を参照）とされる。一方、電磁石２４の励磁状態においては、ストッパ２２及び板部材５０は、電磁石２４の磁力により付勢ばね５６による付勢に逆らって第２軸２０を軸中心として第１回動方向、すなわち、スターホイール１４から離隔させられる方向に回動させられる。そして、電磁石２４による磁力に応じた磁性部材５２を引き寄せる力（引力）と付勢ばね５６の付勢力が釣り合った位置においてストッパ２２が停止される。すなわち、板部材５０による爪３６の係止が解除される非係止状態（後述する図５〜図７等を参照）とされる。
【００３１】
図２及び図３に示すように、複数の電磁石２４及び各電磁石２４に対応するストッパ２２は、好適には、第１群に属する複数の電磁石２４及びストッパ２２と、第２群に属する複数の電磁石２４及びストッパ２２とが、第１軸１２の軸心を中心とする周方向に９０°の位相差で（すなわち相互に９０°の角度を成す位置に）配設されている。好適には、複数の電磁石２４のうち最も端に設けられた電磁石２４から他端側へ向かって１からｎ（他端における電磁石２４に対応）までの数値を付した場合、奇数を付された複数の電磁石２４が前記第１群に、偶数を付された複数の電磁石２４が前記第２群にそれぞれ属する。すなわち、本実施例のオルゴール１０において、好適には、例えば図３に示すスターホイール１４ａ、１４ｂのように、相互に隣接するスターホイール１４にそれぞれ対応する電磁石２４（図３においては電磁石２４ａ、２４ｂ）が、第１軸１２の軸心を中心とする周方向に９０°の位相差で交互に配設されている。斯かる構成とすることで、オルゴール１０における演奏機構部１００の構成（特に、複数の電磁石２４）の配設スペースを可及的に小さくすることができ、装置を小型化することができる。
【００３２】
図４〜図７は、以上のように構成されたオルゴール１０における演奏機構部１００の具体的な作動について説明する図である。オルゴール１０による演奏時において、第１軸１２及び第３軸２６は、図４等に矢印で示すように、モータ３２の駆動により常時それぞれの軸心まわりに同期的に回転させられている。第１軸１２及び第３軸２６は、相互に逆回りに回転駆動されており、好適には、第１軸１２はスターホイール１４に設けられた爪３６が振動板１６の振動弁１８を下方から上方に向けて弾く方向に回転される。第３軸２６はサンホイール２８の外周歯４０とスターホイール１４のギヤ部３８とが噛み合った状態において、スターホイール１４を回転駆動する方向すなわち図４に矢印で示す方向にそれぞれ回転させられている。複数のサンホイール２８は、第３軸２６に対して相対回転不能に設けられているため、オルゴール１０による演奏時においては、第３軸２６の軸心まわりの回転に伴い常時それぞれの軸心まわりに回転させられている。
【００３３】
図４は、ストッパ２２が係止状態とされた場合における作動を説明している。この図４に示すように、対応する電磁石２４に対する通電が行われず、電磁石２４が非励磁状態とされている場合には、ストッパ２２の板部材５０は、付勢ばね５６により付勢される。これにより、ストッパ２２は、スターホイール１４側に回動させられ、スターホイール１４に設けられた複数の爪３６の少なくとも１つを係止する係止状態とされる。すなわち、複数の爪３６の少なくとも１つにおける第１軸１２の回転方向側（回転が進む側）に、板部材５０における先端部が当接させられる。スターホイール１４は、第１軸１２との接触部位における摩擦力により、第１軸１２に追従回転させられるように構成されている。図４に示すような状態においては、ストッパ２２が係止状態とされていることで、接触部位における摩擦力に逆らってスターホイール１４の第１軸１２に対する追従回転が阻止される。換言すれば、第１軸１２の軸心を中心とするスターホイール１４の位相（振動弁１８等に対する位置関係）が固定されたまま、そのスターホイール１４における組付穴部と第１軸１２との接触面が軽い負荷をもって滑りつつそれらが相対回転させられる状態となる。斯かる状態においては、スターホイール１４におけるギヤ部３８はサンホイール２８における外周歯４０と噛み合わない位置とされ、サンホイール２８の回転はスターホイール１４の回転に影響しない。
【００３４】
図５は、ストッパ２２が係止状態から非係止状態へ切り替えられる場合における作動を説明している。図４に示す状態から、電磁石２４に対する通電が行われると、通電された電磁石２４が励磁状態とされる。そして、ストッパ２２の板部材５０が電磁石２４の磁力により付勢ばね５６による付勢に逆らって第２軸２０を中心としてスターホイール１４から離隔させられる方向（第１回動方向）に回動させられる。これにより、板部材５０による爪３６の係止が解除される非係止状態とされる。すなわち、スターホイール１４が、第１軸１２との接触部位における摩擦力によりその第１軸１２に追従回転させられる状態とされる。
【００３５】
図６は、図５の破線で囲んだ部分を拡大して示す図である。図５に示す非係止状態では、磁性部材５２と、電磁石２４における軸心の先端とが最も接近させられるが、図６に示すように、この状態において電磁石２４と磁性部材５２との間には間隔ｄの空間が存在し、非接触とされる。好適には、磁性部材５２における電磁石２４側の面は第２軸２０を中心とする部分円筒状の曲面５２ａとされている。このため、ストッパ２２が第２軸２０まわりに回動させられても、電磁石２４と磁性部材５２との間隔ｄが変化しないように構成されている。
【００３６】
図７は、スターホイール１４の爪３６が振動板１６の振動弁１８を弾いて音を発生させる作動を説明している。ストッパ２２が非係止状態とされ、板部材５０による爪３６の係止が解除される。その後、スターホイール１４が、第１軸１２との接触部位における摩擦力によりその第１軸１２に追従回転させられる。すると、図７に示すように、複数の爪３６のうち１つの爪３６が振動板１６の振動弁１８に接触させられる位相付近において、爪３６に隣接する回転方向側（すなわち回転方向に９０°の位相差で設けられた）爪３６に対応するギヤ部３８がサンホイール２８の外周歯４０と噛み合わされる。この状態においては、サンホイール２８の回転によりスターホイール１４が図７に矢印で示す方向すなわち爪３６が振動板１６の振動弁１８を下方から上方に向けて弾く方向に駆動される。斯かる作動によって振動弁１８が爪３６により弾かれ、振動弁１８に対応する音階の音が奏でられる。そのようにして振動弁１８を弾いた後、スターホイール１４が更に第１軸１２に追従回転させられることでギヤ部３８とサンホイール２８の外周歯４０とが再び噛み合わない状態となる。図５に示す状態からギヤ部３８と外周歯４０とが噛み合わない状態への移行過程において電磁石２４の通電が停止され、電磁石２４が非励磁状態とされる。これにより、付勢ばね５６の付勢によりストッパ２２がスターホイール１４に向けて回動させられ、再び図４に示す状態に復帰させられる。
【００３７】
本実施例のオルゴール１０において、第２軸２０、複数のストッパ２２、及び複数の電磁石２４は、ホルダ７４に取り付けられる。ホルダ７４は、組付フレーム７２に組み付けられる。図１０は、ホルダ７４の構成の一例を示す斜視図である。図１１は、ホルダ７４を図１０の矢印XIに示す方向に視た図である。ホルダ７４は、例えば合成樹脂等から形成される。図１０及び図１１に示すように、ホルダ７４には、第２軸２０が組み付けられる１対の第２軸組付部８４が設けられている。第２軸２０は、両端部が第２軸組付部８４に組み付けられることで、その両端部においてホルダ７４に保持される。
【００３８】
ホルダ７４には、複数の電磁石２４が組み付けられる電磁石組付部８６が設けられている。電磁石組付部８６には、複数の穴部８６ａ及び嵌合部８６ｂが複数の電磁石２４それぞれに対応して設けられている。複数の穴部８６ａ及び嵌合部８６ｂは、第２軸２０の軸心方向に並んで設けられている。好適には、第２軸２０の軸心方向に平行に配列されている。ホルダ７４における電磁石組付部８６への電磁石２４の組み付けについて説明する。先ず、電磁石２４が電磁石組付部８６に取り付けられる（対応する箇所に落とし込まれる）。次に、電磁石２４の先端部すなわちストッパ２２側とされる軸端が穴部８６ａに差し込まれる。次に、電磁石２４の後端部すなわちストッパ２２とは反対側の軸端が嵌合部８６ｂに挟み込まれる。これにより、電磁石組付部８６に電磁石２４が組み付けられる。斯かる構成では、電磁石２４におけるストッパ２２側の端部がホルダ７４からストッパ２２側へ突き出した状態とされる。
【００３９】
ホルダ７４は、取り付けられた複数のストッパ２２それぞれに対応する付勢ばね５６の位置を定める斜面形状のばね受け部８８ａ、８８ｂ（以下、特に区別しない場合には単にばね受け部８８という）を備えたものである。すなわち、複数の付勢ばね５６それぞれにおける一方の端部を保持する保持形状として、各ストッパ２２に対応して複数のばね受け部８８が形成されている。ストッパ２２においては、付勢ばね５６の一方の端部がこのばね受け部８８に掛け留められる。これにより付勢ばね５６の軸方向（第２軸２０の軸心方向）の移動が阻止され、軸方向の位置が定められる。図１２等に示すように、付勢ばね５６の他方の端部はストッパ２２の板部材５０に備えられたばね止め部５０ａに係止されることで、その付勢ばね５６の端部がそれ以上板部材５０側（スターホイール１４側）にまわらない。そして、前記のように一方の端部がホルダ７４に形成されたばね受け部８８に掛け留められることで、その付勢ばね５６の端部がそれ以上ホルダ７４側にまわらない。従って、ばね止め部５０ａに係止された他方の端部との間で付勢ばね５６がたわむことで付勢力（弾性エネルギ）が生じる。すなわち、ホルダ７４にばね受け部８８が形成されていることで、付勢ばね５６の軸方向の位置決めが簡単に実現できると共に、板部材５０との間で付勢ばね５６に付勢力を発生させることができる。
【００４０】
ホルダ７４は、第１面部７４ａ及び第２面部７４ｂにより表裏を反転可能に形成されている。第１面部７４ａ及び第２面部７４ｂは、ホルダ７４において、複数の電磁石２４が配列される面を基準として相互に表裏を成す面にそれぞれ相当する。例えば、ホルダ７４を図１１の矢印Ａ方向に視た構成が第１面部７４ａ、矢印Ｂ方向に視た構成が第２面部７４ｂにそれぞれ対応する。ホルダ７４は、好適には、第１面部７４ａ及び第２面部７４ｂのそれぞれにおいて、複数の電磁石２４が前記配列方向に配列されて取り付けられ且つ第２軸２０の両端部を保持する構成を備えている。図１３は第１面部７４ａに対応してストッパ２２が取り付けられた構成を、図１４は第２面部７４ｂに対応してストッパ２２が取り付けられた構成をそれぞれ示している。図１３及び図１４に示すように、ホルダ７４は、第１面部７４ａと第２面部７４ｂとで、ストッパ２２を第２軸２０の軸方向を基準として反転させて取り付けられるように構成されている。すなわち、図１３に示すように第１面部７４ａ側に板部材５０が突出させられる状態及び図１４に示すように第２面部７４ｂ側に板部材５０が突出させられる状態の何れにおいても、ストッパ２２における磁性部材５２がホルダ７４側（電磁石２４側）となり、磁性部材５２と電磁石２４との間隔ｄ（図６を参照）が略等しくなるように構成されている。例えば、第１面部７４ａに対応して組み付けられた複数の電磁石２４が、前記第１群に属する複数の電磁石２４に対応する。第２面部７４ｂに対応して組み付けられた複数の電磁石２４が、前記第２群に属する複数の電磁石２４に対応する。
【００４１】
図１３及び図１４に示すように、ばね受け部８８ａは第１面部７４ａに、ばね受け部８８ｂは第２面部７４ｂにそれぞれ対応する。すなわち、第１面部７４ａに対応して取り付けられたストッパ２２においては、付勢ばね５６の一方の端部がばね受け部８８ａに掛け留められ、前記のように付勢力が発生させられる。第２面部７４ｂに対応して取り付けられたストッパ２２においては、付勢ばね５６の一方の端部がばね受け部８８ｂに掛け留められ、前記のように付勢力が発生させられる。すなわち、ホルダ７４は、第１面部７４ａ、第２面部７４ｂそれぞれに対応してばね受け部８８ａ、８８ｂを備えている。第２軸組付部８４及び電磁石組付部８６は、第１面部７４ａ及び第２面部７４ｂに共通して備えられたものである。第２軸２０に取り付けられるストッパ２２を、第２軸２０の軸方向を基準として反転させることで、第１面部７４ａ、第２面部７４ｂそれぞれに対応する構成となる。図９及び図２１に示すように、何れの構成においても、ホルダ７４における底面部（ばね受け部８８ｂが形成された側の面）が組付フレーム７２に対向した状態でその組付フレーム７２に組み付けられる。
【００４２】
図９に示すように、オルゴール１０には、複数のストッパ２２等が第１面部７４ａに対応して取り付けられたホルダ７４が、筐体３４の底面部３４ａに略平行に組み付けられる。すなわち、ホルダ７４に組み付けられた複数の電磁石２４が配列される面が、筐体３４の底面部３４ａに略平行となるように、ホルダ７４が組付フレーム７２に組み付けられる。複数のストッパ２２等が第２面部７４ｂに対応して取り付けられたホルダ７４が、筐体３４の底面部３４ａに略垂直に組み付けられる。すなわち、ホルダ７４に組み付けられた複数の電磁石２４が配列される面が、筐体３４の底面部３４ａに略垂直となるように、ホルダ７４が組付フレーム７２に組み付けられる。換言すれば、筐体３４の底面部３４ａに平行な方向を横方向、垂直な方向を縦方向と考えた場合、複数のストッパ２２等が第１面部７４ａに対応して取り付けられたホルダ７４は組付フレーム７２に横方向に組み付けられ、複数のストッパ２２等が第２面部７４ｂに対応して取り付けられたホルダ７４は組付フレーム７２に縦方向に組み付けられる。
【００４３】
オルゴール１０に対する各構成の組み付けにおいて、例えば、先ず、複数の電磁石２４及び複数のストッパ２２がホルダ７４に組み付けられる。次に、複数の電磁石２４及び複数のストッパ２２が組み付けられたホルダ７４が組付フレーム７２に組み付けられる。すなわち、第１面部７４ａに対応して各構成が組み付けられたホルダ７４及び第２面部７４ｂに対応して各構成が組み付けられたホルダ７４が組付フレーム７２に組み付けられる。次に、ホルダ７４が組み付けられた組付フレーム７２に対して、ホルダ７４等の上方から、複数のスターホイール１４が組み付けられた第１軸１２が組み付けられる。更に、その上方から、複数のサンホイール２８が組み付けられた第３軸２６が、組付フレーム７２に対して組み付けられる。このとき、図３に示すように、各スターホイール１４が隣接する１対のサンホイール２８で挟み込まれる。従って、複数のスターホイール１４の軸方向の位置を簡単且つ確実に定めることができる。更に、組付フレーム７２がフレーム７０に組み付けられることで、前記各構成がオルゴール１０に対して組み付けられる。
【００４４】
ホルダ７４は、支持棒２００が着脱される取付部９０を備えている。好適には、図１０に示すように、支持棒２００の両端部を受け入れる１対の取付部９０を備えている。支持棒２００は、例えば、オルゴール１０の組み付けに際してホルダ７４の取付部９０に一時的に取り付けられる。すなわち、支持棒２００は、オルゴール１０の構成の一部として備えられたものでなくともよい。オルゴール１０における各構成（部品）の組み付けが完了し、オルゴール１０が完成した後は、支持棒２００は廃棄されてもよい。支持棒２００は、ホルダ７４に取り付けられた複数のストッパ２２の第２軸２０を軸中心とする回動範囲に設けられる。支持棒２００は、ホルダ７４の取付部９０に取り付けられることで、後述のように付勢ばね５６による付勢力により付勢される複数のストッパ２２の回動を抑止する。斯かる作用を奏する限りにおいて、支持棒２００は必ずしも棒状（円柱状）の部材でなくともよく、長手状の薄板等であってもよい。ワイヤ等の紐状部材であってもよい。換言すれば、支持棒２００は、ホルダ７４の取付部９０に取り付けられることで、付勢ばね５６による付勢力により付勢される複数のストッパ２２の回動を抑止する回動抑止部材として機能するものである。
【００４５】
図１１に示すように、ホルダ７４に形成された取付部９０は、好適には、支持棒２００の両端部を支持する１対の溝部９０ａを備えたものである。溝部９０ａは、例えば、図１０に示すようにホルダ７４から突出して設けられた１対の板状部９２にそれぞれ形成された長手状のスリット（間隙）である。スリットの一部（長手方向の一端部）は開口している。板状部９２は、第２軸２０に略垂直に設けられている。板状部９２には、第２軸組付部８４が形成されており、第２軸２０が組み付けられる。図１１に示すように、溝部９０ａの溝幅は、好適には、支持棒２００の太さ（径寸法）よりも大きい。取付部９０は、好適には、溝部９０ａから支持棒２００の離脱を抑止する鉤部９０ｂを、溝部９０ａの開口部に備えたものである。換言すれば、溝部９０ａに受け入れられた支持棒２００の離脱を抑止する位置に鉤部９０ｂが形成されている。好適には、図１１に示すように、鉤部９０ｂが形成されていることで、溝部９０ａの開口部（開口部の間隙幅）は、支持棒２００の径寸法よりも小さくなっている。前記のように、ホルダ７４は好適には合成樹脂等から形成されており、所定の弾性を有する。従って、取付部９０に対する支持棒２００の取り付けにおいては、例えば、鉤部９０ｂが設けられた溝部９０ａの開口部の間隙に支持棒２００が押し込まれることで、支持棒２００が溝部９０ａに落とし込まれる。以降は鉤部９０ｂが設けられていることで溝部９０ａの開口部が支持棒２００の径寸法よりも小さくなっているため、溝部９０ａに受け入れられた支持棒２００の離脱が抑制される。
【００４６】
図１２は、ストッパ２２の構成を詳しく説明する図である。この図１２に示すように、ストッパ２２は、板部材５０におけるホルダ７４側に凹状部５０ｂを備えている。凹状部５０ｂは、例えば、板部材５０からホルダ７４側に突出して設けられた１対の突出部である。図１２に示すように、凹状部５０ｂには、支持棒２００が取り付けられるように構成されている。すなわち、凹状部５０ｂにおける１対の突出部の間に支持棒２００が受け入れられるようになっている。好適には、凹状部５０ｂ（１対の突出部の間）に支持棒２００が嵌め入れられるようになっている。図１２に示すように、ストッパ２２は、そのストッパ２２に取り付けられた付勢ばね５６の一方の端部（ばね受け部８８に保持される側の端部）が掛け止められる掛止部９４を備えている。掛止部９４と合成樹脂部材５４との間に、支持棒２００が支持されるように構成されている。すなわち、掛止部９４及び合成樹脂部材５４は、支持棒２００が取り付けられる凹状部に対応する。図１２に示すように、掛止部９４における端部下側（端部におけるストッパ２２の回動周方向外側）は曲面９４ａとされている。換言すれば、掛止部９４における端部下側には所謂Ｒが形成されている。従って、図１８及び図２０を用いて後述するように、ストッパ２２が第２軸２０まわりに回動させられ、取付部９０に取り付けられた支持棒２００が、掛止部９４及び合成樹脂部材５４の間に受け入れられる際に、支持棒２００が掛止部９４を押しのけて入り易く構成されている。
【００４７】
図１５は、第１面部７４ａに対応してストッパ２２等が取り付けられたホルダ７４を示す斜視図であり、図１３に対応している。図１６は、第２面部７４ｂに対応してストッパ２２等が取り付けられたホルダ７４を示す斜視図であり、図１４に対応している。図１３〜図１６に示すように、本実施例の構成においては、複数のストッパ２２が第２軸２０に取り付けられ且つ第２軸２０の両端部がホルダ７４（第２軸組付部８４）に保持された状態で、取付部９０に取り付けられた支持棒２００が複数のストッパ２２それぞれの一部に接触して、付勢ばね５６の付勢力による回動方向への複数のストッパ２２の回動を抑止させる。図１３及び図１５に示す例において、支持棒２００は、ストッパ２２の凹状部５０ｂに支持され且つ取付部９０の溝部９０ａに支持されて配置される。ここで、溝部９０ｂの開口部に鉤部９０ｂが設けられていることで、溝部９０ａからの支持棒２００の離脱が抑制される。図１４及び図１６に示す例において、支持棒２００は、ストッパ２２における掛止部９４と合成樹脂部材５４との間に支持され、且つ取付部９０の溝部９０ａに支持されて配置される。以上のように、第１面部７４ａ及び第２面部７４ｂの何れに対応してストッパ２２等が取り付けられたホルダ７４においても、取付部９０に取り付けられた支持棒２００が複数のストッパ２２それぞれの一部に接触して、付勢ばね５６の付勢力による回動方向への複数のストッパ２２の回動を抑止させる。すなわち、ホルダ７４に形成された取付部９０は、第１面部７４ａ及び第２面部７４ｂに共通する構成として備えられたものである。
【００４８】
図１７は、オルゴール１０の製造工程の一例における一部工程を説明する工程図である。図１７は、ホルダ７４の第１面部７４ａに対応してストッパ２２等が取り付けられる態様における製造工程の一例を示している。図１９は、図１７に示す各工程における、ホルダ７４に対して組み付けられる複数のストッパ２２等の状態を例示している。図１７に示す第２軸取付工程Ｐ１に先立って、複数のストッパ２２が第２軸２０に取り付けられる。第２軸取付工程Ｐ１において、図１９（ａ）に示すように複数のストッパ２２が取り付けられた第２軸２０の両端部がホルダ７４における第２軸組付部８４に取り付けられる。この際、ストッパ２２に取り付けられた付勢ばね５６の一端が掛止部９４に掛け止められることで、付勢ばね５６の離脱が抑制される。次に、接触工程Ｐ２において、図１９（ｂ）に示すように支持棒２００が複数のストッパ２２それぞれに対応する凹状部５０ｂに取り付けられ（凹状部５０ｂにおける１対の突出部の間に受け入れられ）た後、図１９（ｃ）に示すように複数のストッパ２２が共に第２軸２０を軸中心に回動させられ、支持棒２００が取付部９０に取り付けられる。すなわち、溝部９０ａに落とし込まれる。よって、接触工程Ｐ２は、支持棒２００を取付部９０に取り付ける支持棒取付工程でもある。図１３及び図１５は、支持棒２００がホルダ７４に備えられた取付部９０に取り付けられた状態を示している。この状態においては、付勢ばね５６によりストッパ２２をスターホイール１４が配置される方向へ回動させる付勢力が発生させられるが、支持棒２００が複数のストッパ２２それぞれに対応する凹状部５０ｂに取り付けられていることで、前記回動方向への複数のストッパ２２の回動が抑止される。すなわち、支持棒２００が複数のストッパ２２それぞれに対応する凹状部９０における一方の突出部（板部材５０側の突出部）に当接させられることで、前記回動方向への複数のストッパ２２の回動が抑止される。次に、ホルダ取付工程Ｐ３において、第２軸２０及び複数のストッパ２２が組み付けられたホルダ７４が組付フレーム７２に組み付けられる。このホルダ取付工程Ｐ３は、接触工程Ｐ２の前に行われるものであってもよい。次に、第１軸取付工程Ｐ４において、複数のスターホイール１４が取り付けられた第１軸１２の両端部が、ホルダ７４が取り付けられた組付フレーム７２に組み付けられる。次に、支持棒除去工程Ｐ５において、第１軸１２の両端部が取り付けられた組付フレーム７２におけるホルダ７４から支持棒２００が取り除かれる。以上のような工程により、オルゴール１０（組付フレーム７２）に対して第２軸２０、複数のストッパ２２、第１軸１２、及び複数のスターホイール１４等が好適に組み付けられる。
【００４９】
図１８は、オルゴール１０の製造工程の一例における一部工程を説明する工程図である。図１８は、ホルダ７４の第２面部７４ｂに対応してストッパ２２等が取り付けられる態様における製造工程の一例を示している。図１８の工程図において、前述した図１７に示す工程と同様の工程については、同一の符号を付してその説明を省略する。図２０は、図１８に示す各工程における、ホルダ７４に対して組み付けられる複数のストッパ２２等の状態を例示している。図２０（ａ）は、図１８に示す第２軸取付工程Ｐ１において、複数のストッパ２２が取り付けられた第２軸２０の両端部がホルダ７４における第２軸組付部８４に取り付けられる様子を示している。このホルダ７４に取り付けられた複数のストッパ２２は、図１９（ａ）に示す構成に比して第２軸２０の軸方向を基準として反転して取り付けられている。支持棒取付工程Ｐ２′において、図２０（ｂ）に示すようにホルダ７４に備えられた取付部９０に支持棒２００が取り付けられる。次に、接触工程Ｐ２″において、図２０（ｃ）に示すように複数のストッパ２２が第２軸２０を軸中心に回動させられ、支持棒取付工程Ｐ２′により取付部９０に取り付けられた支持棒２００に、第２軸取付工程Ｐ１により取り付けられた複数のストッパ２２それぞれの一部が接触させられる。例えば、取付部９０に取り付けられた支持棒２００が、複数のストッパ２２それぞれにおける掛止部９４及び合成樹脂部材５４の間に位置させられる。図１４及び図１６は、斯かる状態を示している。この状態においては、この状態においては、付勢ばね５６によりストッパ２２をスターホイール１４が配置される方向へ回動させる付勢力が発生させられるが、支持棒２００が複数のストッパ２２それぞれに対応する掛止部９４及び合成樹脂部材５４の間に位置させられていることで、前記回動方向への複数のストッパ２２の回動が抑止される。すなわち、支持棒２００が複数のストッパ２２それぞれに対応する掛止部９４に当接させられることで、前記回動方向への複数のストッパ２２の回動が抑止される。ホルダ取付工程Ｐ３は、支持棒取付工程Ｐ２′、接触工程Ｐ２″の前に行われるものであってもよい。以上のような工程により、オルゴール１０（組付フレーム７２）に対して第２軸２０、複数のストッパ２２、第１軸１２、及び複数のスターホイール１４等が好適に組み付けられる。
【００５０】
図２１は、第２軸２０、複数のストッパ２２、ホルダ７４、第１軸１２、及び複数のスターホイール１４等が組み付けられたオルゴール１０において、ホルダ７４から支持棒２００が除去される前の様子を示している。図２１に示す状態においては、組付フレーム７２に横方向に組み付けられたホルダ７４及び縦方向に組み付けられたホルダ７４の何れにおいても、取付部９０に取り付けられた支持棒２００が複数のストッパ２２それぞれの一部に接触することで、付勢ばね５６の付勢力による回動方向への複数のストッパ２２の回動が抑止されている。これにより、複数のスターホイール１４が取り付けられた第１軸１２が上方から組み付けられる際に、先に組み付けられた複数のストッパ２２が、付勢ばね５６の付勢力によりスターホイール１４側に回動させられることなく、好適に組み付けることができる。特に、図２１に示す本実施例の演奏機構部１００のように、組付フレーム７２に横方向に組み付けられたホルダ７４における複数のストッパ２２及び縦方向に組み付けられたホルダ７４における複数のストッパ２２に対応して、共通の第１軸１２に取り付けられた複数のスターホイール１４を組み付ける場合、双方のホルダ７４における複数のストッパ２２を退避させておくことができ、組み付けが容易である。図１７及び図１８等を用いて前述したように、オルゴール１０に対して第１軸１２及び複数のスターホイール１４の組み付けが行われた後は、支持棒２００が除去されることで、前述した図９に示すように、複数のストッパ２２が、付勢ばね５６の付勢力によりスターホイール１４側に回動させられる状態となる。
【００５１】
以上、本発明の好適な実施例を図面に基づいて詳細に説明したが、本発明はこれに限定されるものではなく、更に別の態様においても実施される。
【００５２】
例えば、前記実施例において、ホルダ７４に形成された取付部９０は、支持棒２００の両端部を支持する溝部９０ａと、溝部９０ａから支持棒２００の離脱を抑止する鉤部９０ｂとを、備えたものであったが、本発明のホルダに備えられる取付部は斯かる態様に限定されない。例えば、ホルダ７４に設けられた１対の板状部９２に、支持棒２００が挿通される貫通穴を備えたものであってもよい。支持棒２００が嵌め込まれるくぼみが１対の板状部９２等に形成されたものであってもよい。取付部９０は、必ずしも第１面部７４ａ及び第２面部７４ｂに共通して備えられたものでなくともよく、第１面部７４ａ及び第２面部７４ｂそれぞれに個別の取付部が備えられたものであってもよい。ストッパ２２に備えられる凹状部は、前記実施例において例示したものには限定されない。例えば、ストッパ２２が第２軸２０に取り付けられ且つ第２軸２０の両端部がホルダ７４に保持された状態で、取付部９０に取り付けられた支持棒２００が当接させられる凸状の突出部が備えられたものであってもよい。或いは、取付部９０に取り付けられた支持棒２００が磁性部材５２等に当接させられる構成をとるものであってもよい。ホルダ７４は、必ずしも組付フレーム７２に取り付けられるものでなくともよく、フレーム７０に直接取り付けられるものであってもよい。オルゴール１０における部品点数がその仕様により異なることは言うまでもない。
【００５３】
スターホイール１４に設けられる爪３６の数は４つには限定されず、周方向に９０°毎に設けられたものでなくともよい。スターホイール１４におけるギヤ部３８は、必ずしも爪３６に対応する位置に設けられたものでなくともよく、周方向に位相の異なる位置に設けられたものであってもよい。第１群に属する複数の電磁石２４及びストッパ２２と、第２群に属する複数の電磁石２４及びストッパ２２とが、第１軸１２の軸心を中心とする周方向に９０°の位相差で配設されたものでなくともよく、例えば全ての電磁石２４が同一平面上に一列に配設されたものであってもよい。逆に、爪３６がスターホイール１４の周方向に５つ以上設けられている場合等において、スターホイール１４に設けられた爪３６の数に応じて、複数の電磁石２４及びストッパ２２が、第１軸１２の軸心を中心とする周方向に所定の位相差で３つ以上の位相に対応する位置に配設されたものであってもよい。スターホイール１４を係止させるための構成として、各スターホイール１４に対応して２つ以上のストッパ２２が設けられたものであってもよい。制御部６０がインターネット等の通信回線に接続され、その通信回線を介して楽譜データをダウンロードして楽譜データベース６２に蓄積するものであってもよい。その他、スターホイール１４の形状、ストッパ２２の構成（板部材５０の形状）、及び各構成の相対位置等は、オルゴールの設計に応じて適宜変更される。例えば、ギヤ部３８は、必ずしも２歯ずつ設けられるものでなくともよく、爪３６が対応する振動弁１８を弾くために十分な距離及び時間だけサンホイール２８から駆動されればよく、１歯或いは３歯以上のギヤ部が設けられたものであってもよい。ストッパ２２は、電磁石２４の励磁状態において、電磁石２４の磁力によりストッパ２２を第１回動方向へ回動させる作用を発生させる磁性部材として永久磁石を備えても良い。永久磁石は、好適には、電磁石２４が励磁状態とされた場合に電磁石２４との間で反発力（同種の磁極間の斥力）が発生する位置で、板部材５０と一体的に設けられた合成樹脂部材５４にインサート成形されても良い。ストッパ２２の板部材５０が電磁石２４の磁力すなわちその電磁石２４と永久磁石との間の斥力により付勢ばね５６による付勢に逆らう。これにより、ストッパ２２は、第２軸２０を中心としてスターホイール１４から離隔させられる方向（第１回動方向）に回動させられ、板部材５０による爪３６の係止が解除される非係止状態とされる。
【００５４】
その他、一々例示はしないが、本発明はその趣旨を逸脱しない範囲内において種々の変更が加えられて実施されるものである。
【符号の説明】
【００５５】
１０：オルゴール、１２：第１軸、１４：スターホイール、１８：振動弁、２０：第２軸、２２：ストッパ、２４：電磁石、５０ｂ：凹状部、５４：合成樹脂部材、５６：付勢ばね、７４：ホルダ、７４ａ：第１面部、７４ｂ：第２面部、８８ａ、８８ｂ：ばね受け部、９０：取付部、９０ａ：溝部、９０ｂ：鉤部、９４：掛止部、２００：支持棒、Ｐ１：第２軸取付工程、Ｐ２：接触工程、Ｐ２′：支持棒取付工程、Ｐ２″：接触工程、Ｐ４：第１軸取付工程、Ｐ５：支持棒除去工程
【図１】
2015028533.tif 000003
【図２】
2015028533.tif 000004
【図３】
2015028533.tif 000005
【図４】
2015028533.tif 000006
【図５】
2015028533.tif 000007
【図６】
2015028533.tif 000008
【図７】
2015028533.tif 000009
【図８】
2015028533.tif 000010
【図９】
2015028533.tif 000011
【図１０】
2015028533.tif 000012
【図１１】
2015028533.tif 000013
【図１２】
2015028533.tif 000014
【図１３】
2015028533.tif 000015
【図１４】
2015028533.tif 000016
【図１５】
2015028533.tif 000017
【図１６】
2015028533.tif 000018
【図１７】
2015028533.tif 000019
【図１８】
2015028533.tif 000020
【図１９】
2015028533.tif 000021
【図２０】
2015028533.tif 000022
【図２１】
2015028533.tif 000023